(57)【要約】      （修正有）【課題】車両の旋回中の制動操作に対して、車両の安定性を確保することができる車両制御装置を提供する。【解決手段】自車のスリップ率が、自車に対応するタイヤマップにおいて設定された所定のスリップ率を超えたときに自車のスリップ率が前記目標スリップ率付近となるように制動トルクを制御するアンチロックブレーキ制御モードに設定する。また、自車のスリップ率が、前記自車に対応するタイヤマップが示すタイヤ前後力及びタイヤ横力の交点となる位置のスリップ率を越えたときに、前記アンチロック制御モードに設定する。【選択図】図１
2009083820.tif 000002
【特許請求の範囲】
【請求項１】
４輪をモータにより独立に駆動する電動車両に搭載される車両制御装置であって、
自車のタイヤ前後力及びタイヤ横力を算出するタイヤ力演算部と、
自車のスリップ率を算出するスリップ率演算部と、
自車の車輪を回転させるモータのトルクに基づいて自車の車輪トルクを算出する車輪トルク演算部と、
自車の車輪に作用する荷重を算出する変動輪荷重演算部と、
前記自車の車輪トルク及び前記自車の車輪に作用する荷重に基づいて、自車の車輪と路面との間の摩擦係数である自車の路面μを算出する路面μ演算部と、
タイヤ前後力及びタイヤ横力とスリップ率との関係を示すタイヤマップを複数記憶するタイヤマップ記憶部と、
前記自車の路面μ及び前記自車のスリップ率に基づいて、自車に対応するタイヤマップを前記タイヤマップ記憶部から取得するタイヤマップ取得部と、
前記自車に対応するタイヤマップに基づいて自車の目標スリップ率を設定する目標スリップ率設定部と、
前記自車のスリップ率が前記自車に対応するタイヤマップにおいて設定された所定のスリップ率を超えるときは、自車のスリップ率が前記目標スリップ率付近となるように制動トルクを制御するアンチロックブレーキ制御モードに設定する制御モード設定部と、
を備えることを特徴とする車両制御装置。
【請求項２】
前記制御モード設定部は、前記自車のスリップ率が、前記自車に対応するタイヤマップが示すタイヤ前後力及びタイヤ横力の交点となる位置のスリップ率を超えたときに、前記アンチロックブレーキ制御モードに設定することを特徴とする請求項１に記載の車両制御装置。
【発明の詳細な説明】
【技術分野】
【０００１】
本発明は、４輪をモータにより独立に駆動する電気自動車などの電動車両に搭載される車両制御装置に関する。
【背景技術】
【０００２】
従来より、自動車などにおいて、急制動時に車輪のロックを防いで、車両の安定性、操舵性を維持できるようにしたアンチロックブレーキ制御（以下、ＡＢＳ制御という）を行う車両制御装置が知られている（特許文献１、非特許文献１参照）。このような車両制御装置では、自車のタイヤと路面との間の摩擦係数（以下、路面μともいう）とスリップ率との対応関係を示す摩擦係数−スリップ率マップを複数記憶している。スリップ率とは、車輪速と車体速とに基づいて算出される値である。
【０００３】
車両制御装置は、自車の路面μと自車のスリップ率とを算出し、自車の路面μと自車のスリップ率とに基づいて、複数記憶している摩擦係数−スリップ率マップの中から、対応する摩擦係数−スリップ率マップを取得する。そして、その摩擦係数−スリップ率マップが示す路面μが最大となるスリップ率を目標スリップ率とし、車輪のスリップ率が目標スリップ率付近になるように制御している。これにより、急制動時においても、車輪をロックさせることなしに減速させることができる。
【特許文献１】特開昭６２−９９２４９号公報
【非特許文献１】山海堂自動車用ＡＢＳの研究（日本エービーエス（株）編）
【発明の開示】
【発明が解決しようとする課題】
【０００４】
一方、車両の旋回時における安定性を高めるため、車両の旋回力を機械的に制御するヨーモーメントの制御が行われている。このヨーモーメント制御は、車輪のスリップ率を低くすることでタイヤ横力を大きくし、車両をより曲がりやすくするものである。従来、ヨーモーメント制御とＡＢＳ制御との切り替えは、車輪が滑ったとき、すなわちタイヤのスリップ率が１００％に近づいたときに切り替えるものがほとんどであった。このため、例えば車両の旋回中に運転者が制動操作をした場合には、車両の安定性が確保できなくなる可能性があった。
【０００５】
本発明の目的は、車両の旋回中の制動操作に対して、車両の安定性を確保することができる車両制御装置を提供することにある。
【課題を解決するための手段】
【０００６】
上記目的を達成するため、請求項１に係わる発明は、４輪をモータで独立に駆動する電動車両の車両制御装置であって、自車のタイヤ前後力及びタイヤ横力を算出するタイヤ力演算部と、自車のスリップ率を算出するスリップ率演算部と、  自車の車輪を回転させるモータのトルクに基づいて自車の車輪トルクを算出する車輪トルク演算部と、自車の車輪に作用する荷重を算出する変動輪荷重演算部と、前記自車の車輪トルク及び前記自車の車輪に作用する荷重に基づいて、自車の車輪と路面との間の摩擦係数である自車の路面μを算出する路面μ演算部と、タイヤ前後力及びタイヤ横力とスリップ率との関係を示すタイヤマップを複数記憶するタイヤマップ記憶部と、前記自車の路面μ及び前記自車のスリップ率に基づいて、自車に対応するタイヤマップを前記タイヤマップ記憶部から取得するタイヤマップ取得部と、前記自車に対応するタイヤマップに基づいて自車の目標スリップ率を設定する目標スリップ率設定部と、前記自車のスリップ率が前記自車に対応するタイヤマップにおいて設定された所定のスリップ率を超えるときは、自車のスリップ率が前記目標スリップ率付近となるように制動トルクを制御するアンチロックブレーキ制御モードに設定する制御モード設定部とを備えることを特徴とする。
【０００７】
請求項２に係わる発明は、請求項１において、前記制御モード設定部は、前記自車のスリップ率が、前記自車に対応するタイヤマップが示すタイヤ前後力及びタイヤ横力の交点となる位置のスリップ率を超えたときに、前記アンチロックブレーキ制御モードに設定することを特徴とする。
【発明の効果】
【０００８】
本発明に係わる車両制御装置によれば、車両の旋回中に運転者が制動操作をした場合において、算出されたスリップ率がタイヤマップに設定された所定のスリップ率を超えたときには、より制動しやすくなるアンチロックブレーキ制御モードに設定されるので、止まろうとしている運転者の意思に応じた制御を行うことができる。
【０００９】
また、算出されたスリップ率が、タイヤマップが示すタイヤ前後力とタイヤ横力の交点となる位置のスリップ率を超えたとき、即ち、タイヤ横力が急激に低下する状態となったときに、旋回よりも制動に重点を置くアンチロックブレーキ制御モードに設定されるため、より安全で運転者に対して違和感の少ない制御を行うことができる。
【００１０】
したがって、本発明に係わる車両制御装置によれば、車両の旋回中の制動操作に対しても、車両の安定性を確保することができる。
【発明を実施するための最良の形態】
【００１１】
以下、本発明に係わる車両制御装置の実施形態を図面に基づいて説明する。図１は、本実施形態に係る車両制御装置１の構成を示すブロック図である。車両制御装置１は、図示しない電気自動車（以下、自車とも称する）に搭載され、油圧センサ２、モータトルクセンサ３、操舵角センサ４、前後Ｇセンサ５、横Ｇセンサ６、ヨーレートセンサ７、車体速センサ８、車輪速センサ９、ブレーキセンサ１０、主制御装置１１とを備え、制動装置２１に接続されている。
【００１２】
主制御装置１１は、あらかじめ設定されたプログラムに従って演算処理やデータの入出力等を実行するコンピュータ装置であり、例えば中央演算ユニット（ＣＰＵ）、リードオンリーメモリ（ＲＯＭ）、ランダムアクセスメモリ（ＲＡＭ）、入出力インターフェース（Ｉ／Ｏインターフェース）等のハードウェア構成を備えたマイクロコンピュータにより構成することができる。
【００１３】
これらハードウェア構成のうち、ＲＯＭは、タイヤマップ記憶部１９として機能する他、主制御装置１１の動作に必要なプログラムを記憶する。ＲＡＭは、ＣＰＵによる作業領域として使用される。ＣＰＵは、ＲＯＭに記憶されたプログラムをＲＡＭに展開して逐次実行することにより、車輪トルク演算部１２、変動輪荷重演算部１３、スリップ角演算部１４、タイヤ力演算部１５、スリップ率演算部１６、目標スリップ率演算部（及び制御モード設定部）１７、路面μ演算部１８、タイヤマップ取得部２０の各機能を実現している。なお、本実施形態では、目標スリップ率演算部に制御モード設定部の機能を持たせた例について説明するが、制御モード設定部を独立した機能手段として構成してもよい。
【００１４】
図２は、本実施形態で使用される実座標系や各種の物理量を示す平面図である。図２において、ｆｌは自車の左前輪のタイヤ、ｆｒは自車の右前輪のタイヤ、ｒｌは自車の左後輪のタイヤ、ｒｒは自車の右後輪のタイヤである。本実施形態で使用される実座標系は、自車の重心を原点とし、路面に平行で、且つ自車の前後方向に伸びる軸をｘ軸とし、路面に平行で、且つ自車の左右方向に伸びる軸をｙ軸とする。βは、自車のスリップ角であり、自車の進行方向ベクトルｖと、ｘ軸とのなす角で示される。図２における反時計回りの方向がスリップ角の正方向であり、時計回りの方向がスリップ角の負方向である。δは、自車の操舵角であり、車輪の回転軸に垂直な平面とｘ軸とのなす角で示される。図２は、操舵角の一例として、左前輪の操舵角を示す。自車のステアリングホイールが左に回転したときに車輪が動く方向が操舵角の正方向であり、自車のステアリングホイールが右に回転したときに車輪が動く方向が操舵角の負方向である。ｌｆは、前輪の回転軸のｘ座標を絶対値で表した値であり、ｌｒは、後輪の回転軸のｘ座標を絶対値で表した値である。ｄは前輪（または後輪）の回転中心間の距離である。
【００１５】
自車の各車輪には、図示しない油圧ブレーキ（以下、ブレーキという）が設けられている。油圧センサ２は、ブレーキ毎に設けられ、それぞれのブレーキに作用する油圧を検出し、その結果に関する信号を車輪トルク演算部１２に出力する。
【００１６】
モータトルクセンサ３は、各モータに設けられ、それぞれのモータに流れる電流ｉを検出する。そして、モータに流れる電流と、以下の式（１）とに基づいて、モータトルクを算出する。
【００１７】
Ｔｍ＝ｉ・ｋ…（１）
Ｔｍ：モータトルク、ｉ：モータに流れる電流、ｋ：トルク係数
ここで、電流ｉの符号は、加速又は低速走行時にモータに流れる方向を正方向とし、減速時にモータに流れる方向を負方向とする。なお、自車は減速時には回生ブレーキも作動させるため、減速時には、加速又は低速走行時とは逆方向の電流がモータに流れる。トルク係数は、モータにより定まる定数である。モータトルクセンサ３は、算出されたモータトルクに関する信号を車輪トルク演算部１２に出力する。
【００１８】
操舵角センサ４は、自車の操舵角を検出し、その結果に関する信号をスリップ角演算部１４と、目標スリップ率演算部１７とに出力する。
【００１９】
前後Ｇセンサ５は、自車の加速度のうち、ｘ軸方向の加速度を検出し、その結果に関する信号を変動輪荷重演算部１３に出力する。
【００２０】
横Ｇセンサ６は、自車の加速度のうち、ｙ軸方向の加速度を検出し、その結果に関する信号をスリップ角演算部１４と、変動輪荷重演算部１３とに出力する。
【００２１】
ヨーレートセンサ７は、自車のヨーレートを検出し、その結果に関する信号をスリップ角演算部１４に出力する。図２における反時計回りの方向がヨーレートの正方向であり、時計回りの方向がヨーレートの負方向である。
【００２２】
車体速センサ８は、自車の車体速（車輪以外の部分の速度）を検出し、その結果に関する信号をスリップ角演算部１４、スリップ率演算部１６に出力する。
【００２３】
車輪速センサ９は、自車の各車輪に設けられ、車輪速センサ９が設けられた車輪の回転速度、即ち自車の車輪速を検出し、その結果に関する信号をスリップ率演算部１６に出力する。
【００２４】
ブレーキセンサ１０は、ブレーキペダルの操作量を検出し、その結果に関するブレーキペダル信号を目標スリップ率演算部１７に出力する。なお、ブレーキペダルの操作量の代わりに、ブレーキ踏力やブレーキ液圧を検出するようにしてもよい。
【００２５】
上記各センサは、運転者の操作により、車両の動力源や電源が稼動している間、検出及び信号の出力を常時行っている。
【００２６】
タイヤマップ記憶部１９は、多数のタイヤマップを記憶している。タイヤマップは、タイヤ前後力とスリップ率との対応関係、即ち各スリップ率におけるタイヤ前後力を示す。図３は、タイヤマップの一例を示す説明図である。図３に示す曲線Ｌ１，Ｌ２は、あるタイヤマップが示すデータを、横軸をスリップ率、縦軸をタイヤ力とした座標系にプロットしたものである。タイヤ前後力（Ｌ１）は、タイヤが受ける力、即ちタイヤ力のうち、ｘ軸方向の力である。また、タイヤ横力（Ｌ２）は、タイヤ力のうち、ｙ軸方向の力である。スリップ率は、車輪速と車体速とに基づいて算出される値である。
【００２７】
タイヤ前後力とスリップ率との対応関係は、タイヤの種類（例えば、ラジアルタイヤやスノースパイクタイヤ等）及び路面状況（例えば、乾燥したアスファルト、濡れたアスファルト、新雪面、濡れた氷上等）に応じて変わりうる。そこで、本実施形態では、タイヤの種類及び路面状況の様々な組合せに対してタイヤ前後力とスリップ率との対応関係を測定し、測定結果をタイヤマップとしてタイヤマップ記憶部１９に記憶させている。
【００２８】
図３において、タイヤ前後力の曲線Ｌ１が示すように、タイヤマップは、あるスリップ率でタイヤ前後力が最大値を取る。このスリップ率以下のスリップ率の範囲は安定領域と称され、このスリップ率を超えるスリップ率の範囲は不安定領域と称される。本実施形態では、タイヤ前後力が最大値となるスリップ率を最大スリップ率Ｓ１と称し、このスリップ率Ｓ１よりも所定値だけ小さいスリップ率を最小スリップ率Ｓ２と称し、最大スリップ率Ｓ１から最小スリップ率Ｓ２までの範囲を基準範囲と称する。車両制御装置１では、自車のタイヤ横力と自車の操舵角とに応じて、基準範囲内で自車の目標スリップ率を設定する。また、タイヤ横力はスリップ率が小さいほど大きくなるが、タイヤ前後力は最大スリップ率以下のスリップ率の範囲であれば、スリップ率が大きくなるほど大きくなる。
【００２９】
なお、本実施形態では、後述するように、算出されたスリップ率が、タイヤ前後力の曲線Ｌ１とタイヤ横力の曲線Ｌ２の交点となる位置のスリップ率Ｓｘを超えるときにＡＢＳ制御モードに設定されるため、目標スリップ率の基準範囲は一般的な基準範囲よりも狭くなる。
【００３０】
次に、車両制御装置１を構成する各部の機能と処理動作を図４に示すフローチャートに沿って説明する。なお、車両制御装置１は、以下に説明する処理を車輪毎に行う。ここでは、一例として、左前輪に関する処理を説明する。
【００３１】
ステップＳ１において、スリップ角演算部１４は、左前輪に設けられた油圧センサ２から与えられる信号に基づいて、ブレーキが作動したか否かを判定し、ブレーキが作動するまで待機する。
【００３２】
ステップＳ２において、スリップ角演算部１４は、操舵角センサ４、横Ｇセンサ６、ヨーレートセンサ７、及び車体速センサ８から与えられた信号と、以下の式（１）とに基づいて、自車のスリップ角を算出し、その結果に関する信号をタイヤ力演算部１５に出力する。
【００３３】
β＝∫（αｙ／Ｖ−γ）ｄｔ…（２）
β：自車のスリップ角、αｙ：自車の横Ｇ、γ：自車のヨーレート、Ｖ：自車の車体速
ステップＳ３において、変動輪荷重演算部１３は、前後Ｇセンサ５及び横Ｇセンサ６から与えられた信号と、以下の式（３）とに基づいて、左前輪に作用する荷重Ｆｆｌを算出し、その結果に関する信号をタイヤ力演算部１５と路面μ演算部１８に出力する。
【００３４】
Ffl=m・g・lr/2/(lf+lr)-m・αx・h/2/(lf・lr)-m・αy・h・lr/d/(lf+lr)…（３）
ｍ：自車の質量、ｇ：重力加速度、ｈ：自車の重心から路面までの距離、αｘ：自車の前後Ｇ、αｙ：自車の横Ｇ
なお、右前輪に作用する荷重Ｆｆｒは以下の式（４）で、左後輪に作用する荷重Ｆｒｌは以下の式（５）で、右後輪に作用する荷重Ｆｒｒは以下の式（６）でそれぞれ表される。
【００３５】
Ffr=m・g・lr/2/(lf+lr)-m・αx・h/2/(lf・lr)+m・αy・h・lr/d/(lf+lr)…（４）
Frl=m・g・lf/2/(lf+lr)+m・αx・h/2/(lf・lr)-m・αy・h・lf/d/(lf+lr)…（５）
Frr=m・g・lf/2/(lf+lr)+m・αx・h/2/(lf・lr)+m・αy・h・lf/d/(lf+lr)…（６）
ステップＳ４において、スリップ率演算部１６は、車体速センサ８及び左前輪に設けられた車輪速センサ９から与えられた信号に基づいて、左前輪のスリップ率を算出し、その結果に関する信号をタイヤ力演算部１５、目標スリップ率演算部１７及びタイヤマップ取得部２０に出力する。
【００３６】
ステップＳ５において、車輪トルク演算部１２は、モータトルクセンサ３から与えられた信号と、以下の式（７）とに基づいて、左前輪の車輪トルクを算出する。
【００３７】
Ｔｔ＝（Ｔｍ−ｌｍ）ｄω／ｄｔ…（７）
Ｔｔ：車輪トルク、ｌｍ：車輪の慣性モーメント、ω：車輪の角速度
なお、ωの符号は自車前進時の回転方向を正方向とし、後退時の回転方向を負方向とする。車輪トルク演算部１２は、算出した左前輪トルクに関する信号を路面μ演算部１８へ出力する。
【００３８】
ステップＳ６において、路面μ演算部１８は、車輪トルク演算部１２及び変動輪荷重演算部１３から与えられた信号と、以下の式（８）とに基づいて、左前輪の路面μ（自車の路面μ）を算出する。
【００３９】
μ＝（Ｔｔ／ｒｔ）／Ｆｚ１…（８）
Ｆｚ１:車輪に作用する荷重（ここでは、左前輪に作用する荷重Ｆｆｌ）、ｒｔ：車輪半径
路面μ演算部１８は、左前輪の路面μに関する信号を生成して、タイヤマップ取得部２０へ出力する。
【００４０】
ステップＳ７において、タイヤ力演算部１５は、変動輪荷重演算部１３、スリップ角演算部１４、及びスリップ率演算部１６から与えられた信号と、タイヤモデル（例えば、マジックフォーミュラ）とに基づいて、左前輪に作用するタイヤ力を算出し、その結果に関する信号を目標スリップ率演算部１７に出力する。
【００４１】
ステップＳ８において、タイヤマップ取得部２０は、スリップ率演算部１６及び路面μ演算部１８から与えられた信号に基づいて、左前輪に作用するタイヤ前後力（即ち、自車のタイヤ前後力）と左前輪のスリップ率（即ち、自車のスリップ率）とに対応する左前輪のタイヤマップ（即ち、自車に対応するタイヤマップ）をタイヤマップ記憶部１９から取得する。
【００４２】
具体的には、タイヤマップ取得部２０は、各タイヤマップについて、左前輪のスリップ率に対応するタイヤ前後力を把握し、把握されたタイヤ前後力と、左前輪のタイヤ前後力とを比較する。この結果、タイヤマップ取得部２０は、左前輪のタイヤ前後力に最も近いタイヤ前後力を示すタイヤマップを、左前輪のタイヤマップとして取得する。したがって、左前輪のタイヤマップは、左前輪に作用するタイヤ前後力と左前輪のスリップ率との対応関係を示すことになる。タイヤマップ取得部２０は、左前輪のタイヤマップに関する信号を目標スリップ率演算部１７に出力する。
【００４３】
ステップＳ９において、目標スリップ率演算部１７では、制御モード設定部の機能として、スリップ率演算部１６から与えられた信号と、タイヤマップ取得部２０から与えられたタイヤマップとに基づいて車両の制御モードを設定する。
【００４４】
具体的には、図５に示すように、算出されたスリップ率と、タイヤマップが示すタイヤ前後力の曲線Ｌ１とタイヤ横力の曲線Ｌ２の交点となる位置のスリップ率Ｓｘとを比較し、算出されたスリップ率がスリップ率Ｓｘを超えるときは、ＡＢＳ制御モードに設定してステップＳ１０へ進む。一方、算出されたスリップ率Ｓｘに満たないときは、ヨーモーメント制御モードに設定してステップＳ１１へ進む。
【００４５】
ステップＳ１０において、目標スリップ率演算部１７は、タイヤマップ取得部２０から与えられた信号に基づいて、左前輪の目標スリップ率を設定する。左前輪の目標スリップ率は、左前輪のタイヤマップが示す路面μが極大値となるスリップ率である。目標スリップ率演算部１７は、左前輪の目標スリップ率に関する信号を生成し、制動装置２１に出力する。その後、車両制御装置１は本処理を終了する。
【００４６】
制動装置２１は、スリップ率演算部１６及び目標スリップ率演算部１７から与えられた信号に基づいて、各輪のスリップ率がその車輪の目標スリップ率付近となるように各輪の制動トルクを制御する、アンチロックブレーキ制御を行う。アンチロックブレーキ制御の具体的な内容は従来と同様であるので、説明を省略する。
【００４７】
一方、ステップＳ９からステップＳ１１へ進んだときは、図示しないヨーモーメント制御の機能実行部において、ヨーモーメント制御を実行する。ヨーモーメント制御の具体的な内容は従来と同様であるので、説明を省略する。
【００４８】
以上のように、本実施形態に係わる車両制御装置１では、算出されたスリップ率がタイヤマップに設定された所定のスリップ率を超えるときはＡＢＳ制御モードに設定し、また算出されたスリップ率がタイヤマップに設定された所定のスリップ率に満たないときはヨーモーメント制御モードに設定している。これは、車両の旋回中に運転者が制動操作をした場合に、算出されたスリップ率が大きければ、運転者が止まろうとしている可能性が高く、算出されたスリップ率が小さければ、運転者が曲がろうとしている可能性が高いと考えられるためである。
【００４９】
したがって、車両の旋回中に運転者が制動操作をした場合に、算出されたスリップ率が大きいときはＡＢＳ制御モードに設定することで、より制動しやすくなるため、止まろうとしている運転者の意思に応じた制御を行うことができる。また、算出されたスリップ率が小さいときはヨーモーメント制御モードに設定することで、より旋回しやすくなるため、曲がろうとしている運転者の意思に応じた制御を行うことができる。  
このように、本実施形態に係わる車両制御装置１によれば、運転者の意思に応じた制御モードの設定を行うことが可能となる。
【００５０】
また、本実施形態では、図３に示すように、算出されたスリップ率が、タイヤマップが示すタイヤ前後力の曲線Ｌ１とタイヤ横力の曲線Ｌ２の交点となる位置のスリップ率Ｓｘを超えるときはＡＢＳ制御モードに設定し、スリップ率Ｓｘに満たないときはヨーモーメント制御モードに設定するようにしている。これによれば、算出されたスリップ率がスリップ率Ｓｘに満たない場合は、旋回に必要なタイヤ横力が得られているため、旋回に重点を置くヨーモーメント制御モードとすることで、旋回中における車両の安定性を高めることができる。一方、算出されたスリップ率がスリップ率Ｓｘを超える場合は、図３に示すように、タイヤ横力は急激に低下するため、旋回よりも制動に重点を置くＡＢＳ制御モードとすることで、より安全で運転者に対して違和感の少ない制御を行うことができる。このように、タイヤマップが示すスリップ率Ｓｘと、算出されたスリップ率との関係に基づいて制御モードを設定することにより、運転者に対してより違和感の少ない制御モードの設定を行うことが可能となる。
【００５１】
したがって、本実施形態に係わる車両制御装置１によれば、車両の旋回中の制動操作に対しても、車両の安定性を確保することができる。
【図面の簡単な説明】
【００５２】
【図１】実施形態に係る車両制御装置の構成を示すブロック図。
【図２】実施形態で使用される実座標系や各種の物理量を示す平面図。
【図３】タイヤマップの一例を示す説明図。
【図４】車両制御装置による処理の手順を示すフローチャート。
【図５】タイヤマップにおける制御モードの設定領域を示す説明図。
【符号の説明】
【００５３】
１…車両制御装置
２…油圧センサ
３…モータトルクセンサ
４…操舵角センサ
５…前後Ｇセンサ
６…横Ｇセンサ
７…ヨーレートセンサ
８…車体速センサ
９…車輪速センサ
１０…ブレーキセンサ
１１…主制御装置
１２…車輪トルク演算部
１３…変動輪荷重演算部
１４…スリップ角演算部
１５…タイヤ力演算部
１６…スリップ率演算部
１７…目標スリップ率演算部
１８…路面μ演算部
１９…タイヤマップ記憶部
２０…タイヤマップ取得部
２１…制動装置
【図１】
2009083820.tif 000003
【図２】
2009083820.tif 000004
【図３】
2009083820.tif 000005
【図４】
2009083820.tif 000006
【図５】
2009083820.tif 000007